(57)【要約】【課題】複数のディスプレイの向きを有するコンピュータシステムの方向入力装置及びディスプレイ方向制御の統合を行うこと。【解決手段】コンピュータシステムは、レンダラブル画像を第１の向きで形成するプロセッサと、画像を第１の向きで示すディスプレイ２０２と、第１の画像の向きと関連する第１の位置と第２の画像の向きと関連する第２の位置との間で可動な向きを示す方向指示器を有する方向入力装置２１８とを備えている。方向指示器は、ディスプレイ２０２上に示された画像の向きの目視支持を提供する。方向指示器は、第１の画像の向きと関連する第１の位置と第２の画像の向きと関連する第２の位置との間で可動である。プロセッサは、第２の向きでレンダラブル画像を形成し、ディスプレイ２０２は、第１の位置から第２の位置に移動する向きを示す方向指示器に応答して画像を第２の向きで示すことができる。【選択図】図２Ａ
2006164275.tif 000002
【特許請求の範囲】
【請求項１】
複数の向きに画像を表示するためのシステムにおいて、
第１の向きにレンダラブル画像を形成するプロセッサと、
前記画像を前記第１の向きに示すディスプレイと、
第１のディスプレイの向きに関連する第１の位置と、第２のディスプレイの向きと関連する第２の位置との間で可動する方向入力装置と
を備えたことを特徴とするシステム。
【請求項２】
前記方向入力装置が、前記第１の位置から前記第２の位置に可動する場合、前記プロセッサは、前記レンダラブル画像を前記第２の向きに形成し、前記ディスプレイは、前記画像を前記第２の向きに示すことを特徴とする請求項１に記載のシステム。
【請求項３】
前記ディスプレイが、前記画像を第２の向きに示すために変化する場合、前記方向入力装置の方向機能性が、前記第１の画像の向きに関連する第１の方向機能性から前記第２の画像の向きに関連する第２の方向機能性に変化することを特徴とする請求項１に記載のシステム。
【請求項４】
前記第２の向きは、前記第１の向きから約１８０度であり、前記第２の方向機能性は、前記第１の方向機能性から約１８０度であることを特徴とする請求項３に記載のシステム。
【請求項５】
前記方向入力装置は、該方向入力装置を前記第１の位置から前記第２の位置に回転させることができるターンテーブルを備えたことを特徴とする請求項１に記載のシステム。
【請求項６】
前記方向入力装置は、該方向入力装置を第１の位置から第２の位置に機械的に回転させるモータを備えたことを特徴とする請求項５に記載のシステム。
【請求項７】
前記方向入力装置は、前記第１の位置と前記第２の位置との間で回転するスクロールホイールを備えたことを特徴とする請求項６に記載のシステム。
【請求項８】
前記方向入力装置は、前記ターンテーブルを前記第１の位置に残すようにする偏倚部材を備え、前記ターンテーブルが前記第１の位置から前記第２の位置に離れるように回転するとき、前記ターンテーブルを前記第２の位置に回転し続けるようにすることを特徴とする請求項７に記載のシステム。
【請求項９】
前記偏倚部材は、圧縮ばね及びダンパを備えたことを特徴とする請求項８に記載のシステム。
【請求項１０】
前記方向入力装置は、静止入力センサと、前記第１の位置と前記第２の位置との間で移動可動な方向指示器とを備えたことを特徴とする請求項１に記載のシステム。
【請求項１１】
前記静止入力センサは、タッチパッド及びスイープセンサのいずれかを備えたことを特徴とする請求項１０に記載のシステム。
【請求項１２】
前記方向指示器は、前記方向入力装置のための主な制御方向を認識するポインタを備えたことを特徴とする請求項１０に記載のシステム。
【請求項１３】
前記方向指示器は、光源を備えたことを特徴とする請求項１０に記載のシステム。
【請求項１４】
前記光源は、前記方向入力装置の主な制御方向を認識するポインタを照射することを特徴とする請求項１３に記載のシステム。
【請求項１５】
前記方向指示器は光伝達接触面を有し、前記光源は前記光伝達接触面を照射することを特徴とする請求項１３に記載のシステム。
【請求項１６】
前記光源は、前記システムの状態に応じて照射することを特徴とする請求項１３に記載のシステム。
【請求項１７】
前記方向入力装置は、指紋リーダーとタッチパッドとスイープセンサ及びスクロールホイールを備えたことを特徴とする請求項１に記載のシステム。
【請求項１８】
前記方向入力装置は、接触面及び接触センサを備えたことを特徴とする請求項１に記載のシステム。
【請求項１９】
前記接触センサは、近接センサ及びタッチセンサのいずれかを備えたことを特徴とする請求項１８に記載のシステム。
【請求項２０】
前記画像の前記第１の向きは、前記第２の向きから約０度から約１８０度の間にあることを特徴とする請求項１に記載のシステム。
【請求項２１】
前記画像の前記第１の向きは、前記第２の向きから約０度から約９０度の間であることを特徴とする請求項２０に記載のシステム。
【請求項２２】
前記画像の前記第１の向きは、前記第２の向きから９０°であることを特徴とする請求項２０に記載のシステム。
【請求項２３】
ディスプレイスクリーンに対して画像をスクロールし、ディスプレイ画像の向きを示す方向入力装置において、可動な制御部は、
前記ディスプレイスクリーンに対して第１の向きに画像を走査するためのユーザ命令を検出する方向入力センサと、
前記画像の向きの目視指示及び前記画像を走査するための走査方向を提供し、第１の位置と第２の位置との間で可動し、前記第１の位置は、前記ディスプレイ画像の第１の向きと関連し、前記第２の位置は、前記ディスプレイ画像の第２の向きと関連するような方向指示器と
を備えたことを特徴とする方向入力装置。
【請求項２４】
前記方向指示器を前記第１の位置から前記第２の位置に回転させることができるターンテーブルを備えたことを特徴とする請求項２３に記載の方向入力装置。
【請求項２５】
前記第１の位置と前記第２の位置の一方に向かって前記方向指示器を偏倚する偏倚機構を備えたことを特徴とする請求項２４に記載の方向入力装置。
【請求項２６】
前記方向入力センサは、スクロールホイールを有するスクロールホイール装置を備え、前記方向指示器は、前記スクロールホイールの目視可能な部分を備えたことを特徴とする請求項２５に記載の方向入力装置。
【請求項２７】
前記スクロールホイールの周りに配置された皿部分を備え、前記スクロールホイールは、該スクロールホイールの上方部分が前記皿部分の底部部分上に配置され、前記スクロールホイールの底部部分が前記皿部分の底部部分の下に配置されるように前記皿部分の底部部分を貫通することを特徴とする請求項２６に記載の方向入力装置。
【請求項２８】
前記方向入力装置は、該方向入力装置のための主な制御方向を認識するポインタを備えたことを特徴とする請求項２３に記載の方向入力装置。
【請求項２９】
第１の向きから第２の向きへディスプレイスクリーン上の画像の向きを切り換えるための方法において、
前記ディスプレイスクリーン上に第１の向きで画像を表示するステップと、
上方位置から下方位置に前記画像に示された内容を走査するための命令を含む第１の走査命令を方向入力装置から受けるステップと、
前記内容に対し及び走査命令を受けることに応答して前記ディスプレイに対して第１の向きに内容を走査するステップと、
前記第１の向きから前記方向入力装置の動きを検出することに応答して前記ディスプレイスクリーン上に第２の向きで画像を表示するステップと
を有することを特徴とする方法。
【請求項３０】
前記方向入力装置から第２の走査命令を受け、該第２の走査命令は、前記上方位置から下方位置に前記内容を走査するための命令を含むステップと、
前記走査命令を受けることに応答して第２の向きに前記内容を走査するステップと
を有し、前記第２の向きは、前記内容に応答して前記第１の向きとほぼ同じであることを特徴とする請求項２９に記載の方法。
【請求項３１】
前記第２の向きで前記画像を表示するステップにおいて、該第２の向きは、前記第１の向きから約９０度回転されることを特徴とする請求項２９に記載の方法。
【請求項３２】
前記第２の向きで前記画像を表示するステップにおいて、該第２の向きは、前記第１の向きから約１８０度回転されることを特徴とする請求項２９に記載の方法。
【請求項３３】
前記方向入力装置を照射するステップを有することを特徴とする請求項２９に記載の方法。
【請求項３４】
前記照射ステップは、システム状態を検出するステップを有し、該システム状態に基づいて第１の照射状態を選択するステップを有することを特徴とする請求項２９に記載の方法。
【請求項３５】
第１の向きから第２の向きへディスプレイスクリーン上で画像の向きを切り換えるためのプログラムが記憶されたコンピュータ読み取り可能な媒体において、
前記ディスプレイスクリーン上で第１の向きで画像を表示するステップと、
上方位置から下方位置に前記画像に示された内容を走査するための命令を含む第１の走査命令を方向入力装置から受けるステップと、
前記内容に対し及び走査命令を受けることに応答してディスプレイに対して第１の方向に前記内容を走査するステップと、
第１の位置から第２の位置に前記方向入力装置の動きを検出するステップと、
前記方向入力装置の動きを検出することに応答して前記ディスプレイスクリーン上に第２の向きで画像を表示し、該第２の向きは、前記第１の向きから１０度以上回転するステップと
を有することを特徴とするコンピュータ読み取り可能な媒体。
【請求項３６】
前記上方位置から下方位置に前記内容を走査するための命令を含む第２の走査命令を前記方向入力装置から受けるステップと、
前記走査命令を受けることに応答して第２の方向に前記内容を走査するステップと
を有し、前記第２の方向は、前記内容に対して前記第１の方向と実質的に同じであり、実質的に前記ディスプレイに対して前記第１の方向から１０度以上回転することを特徴とする請求項３５に記載のコンピュータ読み取り可能な媒体。
【請求項３７】
前記第２の向きで画像を表示するステップにおいて、該第２の向きは、前記第１の向きから約９０度回転することを特徴とする請求項３５に記載のコンピュータ読み取り可能な媒体。
【請求項３８】
前記第２の向きで画像を表示するステップにおいて、該第２の向きは、前記第１の向きから約１８０度回転することを特徴とする請求項３５に記載のコンピュータ読み取り可能な媒体。
【請求項３９】
前記方向入力装置を照射するステップを有することを特徴とする請求項３５に記載のコンピュータ読み取り可能な媒体。
【請求項４０】
前記照射ステップは、システム状態を検出するステップを有し、前記システム状態に基づいて複数の照射状態から第１の照射状態を選択するステップを有することを特徴とする請求項３９に記載の方法。
【請求項４１】
複数の向きに画像を表示するシステムにおいて、
第１の方向にレンダラブル画像を形成するプロセッサと、
前記画像を第１の方向に示すディスプレイと、
第１のディスプレイの向きに関連する第１の位置と、第２のディスプレイの向きに関連した第２の位置との間で可動する方向入力装置とを備え、前記第１のディスプレイの向きは、前記第２のディスプレイの向きから９０度に配置されており、前記方向入力装置は、
該方向入力装置が前記第１の位置から前記第２の位置に回転することができるようにするターンテーブルと、
前記ディスプレイに対して第１の方向に前記画像を走査するためにユーザ命令を検出する方向入力センサと、
前記画像を走査するための画像の向きの目視表示及び画像を走査する走査方向を提供し、前記第１の位置と前記第２の位置との間で可動し、前記第１の位置は、前記ディスプレイ画像の第１の向きに関連し、前記第２の位置は、前記ディスプレイ画像の第２の向きに関連するような方向指示器とを備え、
前記方向入力装置が、前記第１の位置から前記第２の位置に可動する場合、前記プロセッサは、前記レンダラブル画像を前記第２の向きで形成し、前記ディスプレイは、前記画像を前記第２の向きに示すことを特徴とするシステム。
【発明の詳細な説明】
【技術分野】
【０００１】
本発明は、複数の向きに画像を表示するためのシステム及び方向入力装置に係るコンピュータ処理及び情報操作技術に関し、より詳細には、対応するディスプレイの向きに関する方向入力装置及びディスプレイスクリーンの画像の向きを変化させることに関する。また、本発明は、複数のモードを有するディスプレイを有する計算装置及びマウス・ホイール又はタッチパッドのような方向入力装置への用途を有する。
【背景技術】
【０００２】
典型的なコンピュータシステム、特に、本件特許出願人のウインドウズのようなグラフィカルユーザインターフェイス（ＧＵＩ）システムを使用するコンピュータシステムは、テキストを入力するためのキーボード及びユーザインタフェイスを駆動するための１つ又は複数のボタンを有するマウスのようなポイント装置のような１つ又は複数の他の入力装置からユーザ入力を受けるために最適化される。一般的なキーボード及びマウスインタフェイスは、書類、スプレッドシート、データベース分野、図面、写真等の迅速な作成及び修正を行う。
【０００３】
いくつかのコンピュータシステムは、例えば、スタイラス（ｓｔｙｌｕｓ）を使用してスクリーン上にユーザが書き込むことを可能にする。例えば、本件特許出願人のリーダー（ＲＥＡＤＥＲ）のアプリケーションは、ユーザが標準的なペン及び紙で書くと同じ方法で電子インクを書類に加えることができるようにする。一般にパーソナル・デジタル・アシスタント（ＰＤＡｓ）として知られる大部分の携帯用計算装置は、ユーザがスクリーン上に書き込むことができるようにする。これらの携帯用計算装置の大部分は、ポートレートモード（ｐｏｒｔｒａｉｔ  ｍｏｄｅ；ドキュメントを縦長に表示するモード）及びランドスケープモード（ｌａｎｄｓｃａｐｅ  ｍｏｄｅ；ドキュメントを横長に表示するモード）のような互いに９０°回転している２つの向きを有するモードの間で電子ディスプレイの切り替えをサポートするように設計されている。
【０００４】
これらのスタイラス入力システムのいくつかは、キーボード又はマウスのような補助入力装置を有する及び有しない双方を使用するために設計されている。これらの補助入力装置は、スクロールホイールのような方向入力装置（ｄｉｒｅｃｔｉｏｎａｌ  ｉｎｐｕｔ  ｄｅｖｉｃｅ）を備え、リニヤ方向で表示された画像をスクロールするために有効である。しかしながら、このような方向入力装置は、双方のディスプレイ方向で作動するためには性能が制限されている。それらは、典型的には、ポートレートモードのようなデフォルトディスプレイ（ｄｅｆａｕｌｔ  ｄｉｓｐｌａｙ）の向きのために配置されており、交互のディスプレイモードにおいてはあまりよく作動しない。
【０００５】
これらのデュアル・モードディスプレイ（ｄｕａｌ−ｍｏｄｅ  ｄｉｓｐｌａｙ）の向きは、ソフトキーを介して又は適当なメニュー命令の選択を介して切り換えられる。しかしながら、これらの公知のスイッチ機構は、望ましくない複雑性があり、ディスプレイの方向間の切り換えのために迅速で容易方法をユーザに提供しない。さらに、これらのシステムは、ディスプレイの現在の方向を容易に識別する指示を欠いている。そのかわり、それらは、その現在の方向を決定するためにユユーザーがディスプレイの画像を認識することに依存している。
【発明の開示】
【発明が解決しようとする課題】
【０００６】
本発明は、このような問題に鑑みてなされたもので、その目的とするところは、ディスプレイスクリーンの画像の向きを変化させて複数の向きに画像を表示するためのシステム及び対応するディスプレイの向きに関する方向入力装置を提供することにある。
【課題を解決するための手段】
【０００７】
本発明は、上述した１つ又は複数の問題を解決し、それによって、複数のディスプレイの向きを有するコンピュータシステムの方向入力装置及びディスプレイ方向制御のさらによい統合を行うものである。また、本発明は、ディスプレイの向きを方向入力装置の向きの変化に基づいて自動的に変化させるような方向入力装置を備えている。さらに、本発明は、ディスプレイの方向の状態を指示する可動な方向入力装置を備えている。さらに、ディスプレイの方向の状態を示す可動な方向入力装置を備えている。また、関連する機能性を提供する指示器（ｉｎｄｉｃａｔｏｒ）、物理的な特徴部分及びセンサを備えている。
【０００８】
さらに、第１の方向から第２の方向へディスプレイスクリーン上でレンダラブル画像（ｒｅｎｄｅｒａｂｌｅ  ｉｍａｇｅ）の方向を切り換えるための方法を含んでいる。また、開示された方法を実行するためにコンピュータによって実行可能な命令は、コンピュータ読み取り可能な媒体上に記憶される。これらは、図面及び関連する説明に関して説明される。
【発明を実施するための最良の形態】
【０００９】
本発明は、ディスプレイの方向を切り替えること及びそれに関連する方向入力装置に関するものである。この明細書は、理解を補助するための項分けして記載されている。これらの項分けは、以下のもの、すなわち、用語、汎用コンピュータの環境、方向入力装置の方向及びディスプレイ方向制御、方向入力装置に分けられている。
【００１０】
＜用語＞
方向入力装置；マイクロソフトウンドウズのようなグラフィカル・ユーザ・インターフェイス（ＧＵＩ）を使用してほぼ直線方向でディスプレイを変更するためにユーザ入力を受けるための入力装置を意味している。この入力装置は、種々の直線方向にディスプレイを変更するためのユーザ入力装置を受けることができる。ディスプレイの変更は、書類をスクロールし、選択された直線方向にディスプレイ上でカーソルを移動させ、選択された直線方向でディスプレイ上に示した選択されたアイテムを移動させることによって、ユーザが選択された直線方向にディスプレイ上に示された表示された内容を走査することを含んでいる。方向入力装置は、スクロールホイール、トラックボール、スイープセンサ及びタッチパッドを備えている。
【００１１】
ドキュメント；目で見ることのできる表現及び内容を有する電子ファイルを意味している。ドキュメントは、ウエブページ、ワード処理ドキュメント、ノートページ又はパッド、スプレッドシート、ビジュアルプレゼンテーション、データベース記録、画像ファイル及びそれらの組み合わせを含んでいる。
【００１２】
光送信；一部及び完全な透明性、光を自由に又は拡散するように貫通することを可能にするものである。
【００１３】
方向指示器（ｏｒｉｅｎｔａｔｉｏｎ  ｉｎｄｉｃａｔｏｒ）；計算装置のディスプレイ方向状態を示すための装置を意味している。
【００１４】
スキャン；ディスプレイ上に嵌合しない内容の部分を示すためにディスプレイの内容を移動させることを意味している。
【００１５】
スクロール；ほぼ直線方向に表示内容を通して走査することを意味している。
【００１６】
システム状態；計算装置の一時的な状態、姿勢、形状又は情報内容を意味している。システム状態は、スリープ形状、エラー状態、低い電力状態、ディスプレイ方向状態、人間の接触面又は近接センサと接触する人間を含むシステム状態である。
【００１７】
以下、図面を参照して本発明の実施の形態について説明する。  
【００１８】
＜汎用コンピュータの環境＞
図１は、本発明の種々の態様を実行するために使用することができる通常の汎用デジタル計算環境の概略図である。コンピュータ１００は、処理ユニット１１０と、システムメモリ１２０と、処理ユニット１１０へのシステムメモリを含む種々のシステム部品を結合するシステムバス１３０とを備えている。システムバス１３０は、メモリバス又はメモリコントローラ、周縁バス及び種々のバスアーキテクチャを使用するローカルバスを含む種々のタイプのバス構造である。システムメモリ１２０は、リードオンリメモリ（ＲＯＭ）及びランダムアクセスメモリ（ＲＡＭ）１５０を備えている。
【００１９】
開始中のようなコンピュータ１００内の素子の間の情報を移行する助けとなる基本的なルーチンを含む基本入出力システム（ＢＩＯＳ）１６０がＲＯＭ１４０内に記憶されている。また、コンピュータ１００は、ハードディスクから読み取るか、そこに書き込むためのハードディスクドライブ１７０と、除去可能な磁気ディスク１９０から読み取るか、磁気ディスク１９０に書き込むための磁気ディスクドライブ１８０と、ＣＤ−ＲＯＭ又は他の光媒体のような取り外し可能な光ディスク１６２から読み取るか、又は書き込むための光ディスクドライブ１９１とを備えている。ハードディスクドライブ１７０と、磁気ディスクドライブ１８０及び光ディスクドライブ１９１は、ハードディスクドライブインターフェース１９２と、磁気ディスクドライブインターフェース１９３及び光ディスクドライブインターフェース１９４によってそれぞれシステムバス１３０に接続されている。ドライブ及びそれらの関連するコンピュータ読み取り可能な媒体は、パーソナルコンピュータ１００用のコンピュータ読み取り可能な命令、データ命令、プログラムモジュール及び他のデータの非揮発性の記憶を提供する。磁気カセット、フラッシュメモリカード、デジタルビデオディスク、Ｂｅｒｎｏｕｌｌｉカートリッジ、ランダムアクセスメモリ（ＲＡＭ）、リードオンリメモリ（ＲＯＭ）等のようなコンピュータによってアクセス可能なデータを記憶することができる他のタイプのコンピュータ読み取り可能な媒体も例示した動作環境において使用することができることは当業者によって理解されることができる。
【００２０】
オペレーティングシステム１９５と１つ又は複数のアプリケーション・プログラム１９６と他のプログラムモジュール１９７及びプログラムデータ１９８を含むハードディスクドライブ１７０と、磁気ディスク１９０と、光ディスク１６２と、ＲＯＭ１４０又はＲＡＭ１５０に多数のプログラムモジュールを記憶することができる。ユーザは、キーボード１０１、及びポイント装置又は他の入力装置１０２のような入力装置を介してコンピュータ１００に命令及び情報を入力することができる。他の入力装置（図示せず）は、方向入力装置、マイクロフォンと、ジョイスティックと、ゲームパッドと、サテライトディッシュと、スキャナ等を備えている。これら及び他の入力装置は、しばしば、システムバスに接続されたシリアルポートインターフェース１０６を介して処理ユニット１１０に連結されるが、パラレルポート又はユニバーサル・シリアルバス（ＵＢＳ）のような他のインターフェースによって接続されることができる。さらに、これらの装置は、適当なインターフェース（図示せず）を介してシステムバス１３０に直接接続される。モニタ１０７又は他の種のディスプレイ装置がビデオアダプタ１０８のようなインターフェースを介してシステムバス１３０に接続されている。典型的には、パーソナルコンピュータは、モニタに加えて、スピーカ及びプリンタのような他の周辺出力装置（図示せず）を備えることができる。
【００２１】
１つの実施例において、フリーハンド入力をデジタル的に捕捉するためにペン・デジダイザ１６５及び補助ペン又はスタイラス（ｓｔｙｌｕｓ）１６６が提供される。ペン・デジタイザ１６５とシリアルポートインターフェース１０６の間の直接接続が示されているが、実際には、ペン・デジタイザ１６５は、ワイヤレスを含む技術によって処理ユニット１１０に直接、パラレルポート又は他のインターフェースとシステムバス１３０に接続される。ペン１６６は、ペンに関連したカメラ及びバス１３０に相互作用するインターフェースにカメラによって捕捉された画像をワイヤレスで伝達するためのトランシーバを備えている。さらに、ペンは、加速度計、磁気計及びジャイロスコープを含む電子インクのストロークを決定するためのカメラに加えて又はその代わりに他の検出システムを有していてもよい。
【００２２】
さらに、デジタイザ１６５は、モニタ１０７から分離して示されているが、デジタイザ１６５の使用可能な入力領域は、モニタ１０７の表示領域と同一平面上にある。さらに、デジタイザ１６５は、モニタ１０７内に統合されるか、モニタ１０７に重なるか、又は付属される分離装置として存在していてもよい。
【００２３】
コンピュータ１００は、リモートコンピュータ１０９のような１つ又は複数のリモートコンピュータへの論理接続を使用してネットワーク環境で作動することができる。リモートコンピュータ１０９は、サーバ、ルータ、ネットワークＰＣ、ピア装置又は他の共通ネットワーク・ノードであり、コンピュータ１００に対して多数又は上述したすべての部材であるが、メモリ機構装置１１１のみが図１に示されている。図１に示す論理接続は、ローカルエリアネットワーク（ＬＡＮ）１１２及びワイド領域ネットワーク（ＷＡＮ）１１３を含んでいる。このようなネットワーク環境は、オフィス、エンタープライズネットワーク、イントラネット及びインターネットに共通である。
【００２４】
コンピュータ１００は、ＬＡＮネットワーク環境において使用されるとき、コンピュータ１００は、ネットワーク又はアダプタ１１４を通してローカルネットワーク１１２に接続される。パーソナルコンピュータ１００は、ＷＡＮネットワーク環境で使用されるとき、インターネットのようなワイド領域ネットワーク１１３上でコミュニケーションを確立するためにモデム１１５又は他の手段を含んでいる。内部又は外部にあるモデム１１５は、シリアルポートインターフェース１０６を介してシステムバス１３０に接続されている。ネットワーク環境において、パーソナルコンピュータ１００又はその部分に対して示したプログラムモジュールは、リモートメモリ・記憶装置内に記憶される。さらに、システムは、有線及び／又は無線の性能を含むとよい。例えば、ネットワークインターフェース１１４は、ブルーティース、ＳＷＬａｎ、及び／又はＩＥＥＥ８０２．１１クラスの組み合わせ能力を含んでいる。他のワイヤレス通信プロトコルは、これらのプロトコルと関連して又はこれらのプロトコルの代わりに使用されることができる。
【００２５】
図示したネットワーク接続は例示であり、コンピュータの間の接続リンクを確立するための他の技術を使用することができる。ＴＣＰ／ＩＰ、Ｅｔｅｒｎｅｔ，ＦＴＰ，ＨＴＴＰ等のような種々の公知のプロトコルのいずれかの存在が仮定され、ユーザがウエブベースサーバからウエブページを検索することができるようにするためにクライアント・サーバの構成においてシステムを作動することができる。ウエブページ上でデータを表示及び操作するために種々の従来のウエブブラウザを使用することができる。
【００２６】
図２Ａは、本発明に係る第１のディスプレイ方向を有するスタイラスベースコンピュータ（ｓｔｙｌｕｓ−ｂａｓｅｄ  ｃｏｍｐｕｔｅｒ）の平面図で、本発明の種々の態様によって使用することができる例示的なタブレットＰＣを示している。図１に示したシステムの特徴、サブシステム、及び機能のいずれか、又はすべてが図２Ａに示したコンピュータ内に含まれている。タブレットＰＣ２０１は、ハウジング２２０及びデジタジング表示画面（ディスプレイ）２０２、例えば、デジタジング平面ディスプレイ、好ましくは複数のウインドウが表示される液晶ディスプレイ（ＬＣＤ）スクリーンを備えている。図２Ａに示される例において、テキストドキュメント２０８と、垂直スクロールバー２１０と、水平スクロールバー２１２と、ヘッダメニュー２１４及びツールバー２１６を表示する単一のウインドウが示されている。また、ポートレートモードのような第１の方向にテキストドキュメント２０８が示されている。
【００２７】
ユーザは、スタイラス２０４を使用してデジタイジング表示画面２０２を選択し、強調し、それに書き込む。適当なデジタイジング表示画面２０２の例は、Ｍｕｔｏｈ又はＷａｃｏペン・デジタイザのような電磁ペン・デジタイザを含んでいる。他のタイプのペン・デジタイザ、例えば、光学デジタイザを使用することもできる。タブレットＰＣ２０１は、データを操作し、テキストを入力し、図面を作成し及び／又はスプレッドシート、ワードプロセッシングプログラム等のような従来のコンピュータアプリケーションタスクを実行するためにスタイラス２０４を使用してつくられたジェスチャモードを解釈する。スタイラス２０４は、その選択能力を議論するために１つ又は複数のボタン又は他の特徴を備えていてもよい。１つの実施例において、スタイラス２０４は、一方の端部が筆記部分及び他方の部分が消しゴムを構成する「鉛筆」又は「ペン」として実施され、消しゴムは、ディスプレイを横切るとき、ディスプレイの表示部分を消去する。領域２０５は、スタイラス２０４が表示画面２０２に接触している場所をユーザが決定することができるフィードバック領域又は接触領域を示す。さらに、ユーザ自身の指がスタイラス２０４となり、接触又は近接感応ディスプレイ上に表示された画像の部分を選択又は表示するために使用される。結果として、この明細書で使用する用語の「ユーザ入力装置」は、スタイラス２０４のようなよく知られている広範な定義を有し、多数の変形例を有するように意図されている。
【００２８】
マウス、トラックボール、スクロールホイール、指紋リーダー、タッチパッド、スイープセンサのような他のタイプの方向入力装置は、タブレットＰＣ２０１とともに使用されることができる。１つ又は複数のこれらの方向入力装置は、タブレットＰＣ２０１と統合されるか、分離して存在されることができる。例えば、図２Ａにおいては、タブレットＰＣ２０１のコーナーの近傍に配置された一体のスクロールホイール装置（方向入力装置）２１８を示している。このスクロールホイール装置２１８のスクロールホイールを回転させることによって、テキストドキュメント２０８のテキストを上下にスクロールさせることができ、これは、垂直スクロールバー２１０によって追跡されることができる。さらに、スクロールホイール装置２１８は、ホイールのロール方向に直角な方向に側方に傾斜することができる多方向スクロールホイールであってもよい。したがって、スクロールホイール装置２１８の側方の傾斜は、テキストドキュメント２０８のテキストを水平スクロールバー２１２によって側方に追跡されるときスクロールされる。
【００２９】
種々の実施例において、システムは、アプリケーションがインクを捕捉し、操作し、収納するように使用することができる一組のＣＯＭ（コンポーネントオブジェクトモデル）サービスとしてのインクプラットフォームを提供する。１つのサービスは、アプリケーションがインクの開示された表現を使用してインクを読み書きすることを可能にする。また、インクプラットフォームは、エクステンシブル・マークアップ・言語（ＸＭＬ）のような言語を含むマークアップ言語を含んでいる。さらに、システムは、他の実施例のようなＤＣＯＭを使用することができる。本件特許出願人からＷｉｎ３２プログラムモデル及びＮｅｔプログラミングモデルを含む他の実施例を使用することができる。
【００３０】
＜方向入力装置の方向及びディスプレイ方向制御＞
図２Ｂは、本発明に係る第２のディスプレイ方向を有する図２Ａに示したスタイラスベースコンピュータの平面図である。このように、図２Ａ及び図２Ｂに示されるタブレットＰＣ２０１は、複数の向きの間で変化する方向入力装置２１８を備えている。ユーザは、入力装置が所望の方向に合致する方向入力を提供することができるように方向入力装置２１８の方向を変えることができる。１つの実施例において、ユーザが方向入力装置２１８の方向を変化させる場合、ディスプレイ２０２は、方向入力装置２１８の変化された方向に合致するようにその方向を自動的に変化させる。ディスプレイ２０２及び関連する方向入力装置２１８の双方がそれらの方向を変化させることを可能にすることによってコンピュータ装置でディスプレイを見るために、又は種々のディスプレイ方向でそれらとよく相互作用するための柔軟性をユーザに提供する。したがって、タブレットＰＣ２０１の場合、ディスプレイ２０２は、所望のモード（例えば、ポートレート又はランドスケープによって）においてユーザによって方向が決定され、方向入力装置２１８は、ディスプレイ２０２を誘導するために方向入力装置２１８の有効な使用を可能にするためにそれに対応して方向が決定される。ポートレート又はランドスケープとして知られる２つのディスプレイモードがここで主に説明されるが、多数の異なる表示方向をも提供される。同様に、種々のディスプレイモードに合致するように多数の方向入力の向きが提供される。
【００３１】
タブレットＰＣ２０１のディスプレイ２０２は、その長さ以上の幅を有するか、逆にそのディスプレイの２０２方向に依存するようにバランスのとれられていないアスペクト比を有する。多数の画像、ドキュメント及び情報ディスプレイがそれら全てより広いので、ディスプレイ２０２のバランスのとれていないアスペクト比は、ランドスケープモード内でそれらを表示するために有利である。他の画像、ドキュメント、及び情報ディスプレイは、それらの幅より高く、ディスプレイ２０２のポートレートモードで表示するより有利である。また、これは、パーソナル・デジタル・アシスタンス（ＰＤＡｓ）、モバイルコンピュータ及びパーソナルコンピュータを含む本発明の実施態様に適応される他の電子システムにおいて用いられる。タブレットＰＣ２０２は、表示される情報の特徴に使用されるようにポートレートモードとランドスケープモードとの間でディスプレイの切り換えをサポートする。これは、使用される情報のタイプのような種々の特性に依存して１つの方向又は他の方向でスタイラス２０４を介して情報に入るために有利である。本発明を実施する他の計算システムの場合、ＰＤＡｓ、携帯ナビゲーション装置、携帯電話等とともに使用されるような小さいディスプレイがそれらの方向を変えることができることが有利である。このような小さいディスプレイに関して、モードの間の切り替えによって種々のタイプの情報のディスプレイを改良することができる。情報ディスプレイのナビゲーションを改良するために、本発明に使用するためのタブレットＰＣ２０１及び他のシステムは、情報ディスプレイのスクロールを支持することができるスクロールホイール装置のような方向入力装置２１８を備えている。
【００３２】
方向入力装置２１８を使用するスクロールディスプレイ２０２は、方向入力の入力方向と一般に合致するディスプレイの向きについて非常に有効である。しかしながら、このようなスクロールは、方向入力に合致しないディスプレイの方向にとっては有効ではない。例えば、対応するディスプレイの高さに平行に配置された平面内で回転するスクロールホイールは、その上に示されているドキュメント内で垂直方向にナビゲートするために非常に有効である。１つの例として、図２Ａに示したスクロールホイール装置２１８は、ドキュメントがポートレートモード内で向いている間、テキストドキュメント２０８のテキスト内で垂直方向にスクロールすることが有効である。しかしながら、ディスプレイが、スクロールホイール装置２１８の方向を変化することなくポートレートモードでそれを示すために９０°回転する場合には、スクロールホイールは、ドキュメント２０８の回転されたテキスト内で水平方向にスクロールすることがあまり有効ではない。したがって、ディスプレイ内で変化するために使用することができない方向入力装置は、１つのディスプレイ内で非常に有効であるが、同様に第２のディスプレイの方向については、それほど有効ではない。
【００３３】
図２Ｂには、図２Ａに示した第１の方向（例えば、ポートレートモード）から第２の方向（例えば、ランドスケープモード）にディスプレイが変化したタブレットＰＣ２０１が示されている。ランドスケープモードにおいて、図２Ｂに示すスクロールホイール装置２１８は、垂直スクロールバー２１０によってテキストキュメント２０８内で垂直方向にスクロールするために有効である。しかしながら、図２Ａに示したディスプレイ方向位置においては、図２Ｂに示すような向きのスクロールホイール装置２１８は、テキストドキュメント２０８のポートレートを水平方向にスクロールするために制限された有効性のみを有している。
【００３４】
これは、たとえ、スクロールホイール装置２１８が直角方向に配置された直線方向（にディスプレイを変形するために入力を受けることができる場合（たとえば、傾斜（ｔｉｌｔ）ホイール装置）でも有用である。なぜならば、第２の入力方向は、一般に主な入力方向である方向制御命令を提供するためにあまり適していないからである。たとえば、傾斜ホイール装置は、ホイールの傾斜面（側方）にディスプレイを移動するためにではなく、ホイールの回転平面にディスプレイを移動することよりもさらによい方向制御を提供することができるからである。
【００３５】
図２Ａ及び図２Ｂに示したスクロールホイール装置２１８の向きは、所望のディスプレイモード方向と対応するように変化可能である。したがって、図２Ａに示したスクロールホイール装置２１８は、その上に示す垂直スクロールバー２１０によって示される垂直スクロール方向に合致する方向を向いている。同様に、図２Ｂに示したスクロールホイ−ル装置２１８は、その上に示された垂直スクロールバー２１０によって示された水平スクロール方向に合致するように向いており、これは、図２Ａのディスプレイから約９０°の方向を向いている。さらに以下に示すように、スクロールホイール装置２１８は、タブレットＰＣ２０１の方向ディスプレイモードの切り替えを制御するために使用される制御装置であってもよい。したがって、第１の位置から第２の位置にスクロールホイール装置２１８の方向を変化させる単一のステップにおいて、ユーザは、方向制御するスクロールホイール装置２１８の向きとともにディスプレイの向きを切り換えることができる。
【００３６】
図４は、本発明に係る第１の向き（例えば、ポートレートモード）から第２の向き（例えば、ランドスケープモード）にタブレットＰＣのディスプレイ上で画像の方向を切り換えるための方法を説明するための図である。一例として、ユーザが図２Ａに示すポートレイトモードでタブレットＰＣ２０１を使用して、ディスプレイ方向を図２Ｂに示すランドスケープモードで使用するために方向制御するスクロールホイール装置２１８の入力方向を切り換えることを望むと仮定する。図４に示す方法４１０及び図２Ａ及び図２Ｂに示したタブレットＰＣ２０１によれば、タブレットＰＣ２０１は、ディスプレイスクリーン上に第１の方向でドキュメントを表示するためにステップ４１２を実行する。ユーザは、スクロールホイール装置２１８のスクロールホイールを回転することによってディスプレイスクリーン上に示されたドキュメントをスクロールすることができる。ステップ４１４において、タブレットＰＣ２０１は、ロールの方向、ロール速度、及びユーザがホイールにかけるロールの量にしたがってドキュメントをスクロールするためにスクロールホイール装置２１８からの命令を受ける。ステップ４１６において、タブレットＰＣ２０１は、スクロールホイール装置２１８によって所望なように表示されたドキュメントをスクロールすることによって命令に対応する（たとえば、ドキュメントを垂直方向にスクロールする）。
【００３７】
ディスプレイの方向及び方向制御の向きを変更するために、ユーザは、スクロールホイール装置２１８を９０°回転させる。このようにステップ４１８において、タブレットＰＣ２０１は、第１の位置から第２の位置に方向入力装置の動きを検出する。スクロールホイール装置２１８の動きを検出することに対応して、ステップ４２０で、タブレットＰＣ２０１は、ポートレートモードから約９０度であるランドスケープモードでドキュメントを表示する。新しい向きにおいて、ユーザがスクロールホイール装置２１８のスクロールホイールを回転させる場合、図２Ｂに示すドキュメントは、ドキュメントに関連して上方又は下方に移動する。
【００３８】
他の実施例において、方向入力装置は、ゼロと１８０度との間の向き及びゼロと３６０度との間の向きのような複数の回転方向を有する。方向入力装置は、第１の位置から約５度から約１７５度の向きの１つ又は複数の第２の位置に回転することができ、ディスプレイがそれに対応した向きの位置を有する。これらの第２の位置は、互いに５度である位置のようなゼロと１８０度との間のステップ方向の向きを含んでいる。
【００３９】
他の実施例において、方向入力装置の動作は、ディスプレイ方向の変化に対応して変化する。例えば、ユーザは、オンスクリーン命令、ショートカットキー又は他の機構を使用して１８０度、ディスプレイの向きを変化させることができる。方向入力装置の動作は、方向入力がそれに対応して変化されるようにディスプレイの方向の変化に対応して論理的に変化させることができる。一例として、方向入力装置が、スクロールホイールを含む場合、スクロールホイールの第１の方向への回転は、それが第１の方向にある間、ディスプレイを上方にスクロールするか、回転する。ディスプレイが第２のディスプレイの向きに変化するとき、ディスプレイを上方にスクロールし続けるのではなく、第１のディスプレイの向きから約１８０度に配置されることによって、第１の方向にスクロールホイールを回転させることは、ディスプレイを下方にスクロールさせる。したがって、方向制御（入力）装置（ｄｉｒｅｃｔｉｏｎａｌ  ｃｏｎｔｒｏｌ  ｄｅｖｉｃｅ）の物理的な方向を変化させることなく、その機能的な向きを変化させることができる。
【００４０】
＜方向入力装置＞
図３Ａ乃至図３Ｆは、スクロールホイール装置を示す図である。タブレットＰＣ２０１上の入力装置として使用されることができる。図３Ａに示すように、スクロールホイール装置３１８は、タブレットＰＣ２０１とともに構造的に一体化されることができ、実質的にディスプレイハウジング２２０内に配置されることができる。それは、ディスプレイハウジング２２０のコーナー近傍に配置され、これにより、ポートレートモード及びランドスケープモードの双方についてそれを従来のように配置することができる。例えば、図２Ａ及び図２Ｂに示した例において、スクロールホイール装置２１８は、双方の向きにおいてタブレットＰＣ２０１の左側に沿って配置されている。この構成は、左手を使用してスクロールホイールをスクロールする間右手でスタイラス２０４を使用することを可能にする。
【００４１】
スクロールホイール装置３１８は、所望のグリップ位置に人間工学的に配置され、ユーザがそれらのグリップハンドの親指又は他の指でホイールを操作するように構成されている。スクロールホイール装置３１８は、ユーザの特定の形状に合致するように移動可能であり、さもなければ再配置可能（図示せず）である。複数のスクロールホイール装置は、タブレットＰＣを保持し、ディスプレイをスクロールするための選択をユーザに提供するか、又は左手及び右手の指に対応するタブレットＰＣ形状を提供するためにタブレットＰＣの異なる位置に配置される。このような複数のスクロールホイールの実施例（図示せず）において、ユーザは、ディスプレイ方向を制御することができる「アクティブ」なスクロールホイール装置を選択することができる。さらに、このような複数のスクロールホイールの実施例において、ユーザは、方向入力装置の方向を変化させるのではなく、所望の方向入力及び対応するディスプレイの向きを有するスクロールホイール装置を簡単に起動することができる。例えば、ユーザは、ランドスケープの向きのスクロールホイール装置を作動することによってポートレートモードからランドスケープモードに切り換えることができ、これは、前に使用されたポートレート向きのスクロールホイール装置を自動的に起動する。個々のスクロールホイール装置は、装置と人間の接触を検出する各装置内の接触センサ又は近接センサを介して起動される。
【００４２】
図３Ａ乃至図３Ｆに示した実施例に戻ると、図３Ａは、図２Ａ及び図２Ｂに示したスタイラスベースコンピュータの方向入力装置の拡大図である。この図３Ａに示されたスクロールホイール装置３１８は、回転可能なスクロールホイール３２０と、指又は親指及びダイヤル３２４とインターフェースするための接触面３２２とを備えている。この接触面３２２は、一般にディスプレイハウジング２２０の表面と同一平面か、又はその下に凹所が設けられるようにディスプレイハウジング２２０内の開口３５２を貫通している。接触面３２２は、ディスプレイハウジング２２０の表面近傍のその周囲から下方に傾斜している一般に指又は親指サイズの皿形状（ｄｉｓｈ  ｓｈａｐｅ）を有する。接触面３２２に凹所を設けることは、スクロールの不適切な起動又は運動を抑えることができ、これは、その上面がディスプレイハウジング２２０の表面近傍又はそれ以下になるように凹所が設けられた皿内に配置されることができる。接触面３２２のための皿形状は、タブレットＰＣのユーザに親指又は指の配置を示唆し、そのための感じによってスクロールホイール装置３１８を配置することによってユーザを補助することができる。ダイヤル３２４は、ディスプレイハウジング２２０の側のスロットを貫通し、ユーザが指をディスプレイハウジング２２０の縁部に沿ってスライドさせることによるようなダイヤルと摺動接触することによってスクロールホイール装置３１８を回転することを可能にする。ダイヤル３２４は、ターンテーブル３２６に取り付けられ、これは、スクロールホイール装置３１８をディスプレイハウジング２２０内に回転可能に取り付ける。
【００４３】
図３Ｂは、図３Ａに示した方向入力装置のスクロールホイール装置の概略斜視図で、ターンテーブル３２６及びスクロールホイール装置の機能部品を示すスクロールホイール装置３１８の概略斜視図である。図３Ｃは、図３Ａに示した方向入力装置の概略端面図である。
【００４４】
スクロールホイール３２０は、他の部品を示すことによって補助するために図３Ｂ内の寸法内に低減されて示されている。単一の軸線を有するスクロールホイール装置のような広範なスクロールホイール装置並びにスイープセンサのような広範な他の方向入力装置を使用することができる。
【００４５】
図３Ｂに示すように、傾斜（ｔｉｌｔ）スクロールホイール装置３１８の機能的な部品は、主軸の周りに回転可能であり、スクロールホイール３２０が存在し、回転する主平面内で傾斜させることによって並置した回転可能な運動を可能にするスクロールホイール３２０を備えている。スクロールホイール装置３１８は、スクロールホイール３２０と、回転可能な軸３３０及び凹形状のハブ／ボール接合部３３２とを備えている。回転可能な軸３３０の両端は、円筒形の軸受け面を有する支持ブロック３３３及び３３５内に取り付けられる。ボール接合部３３２による連結によって、スクロールホイール３２０に加えられる回転力は、スクロールホイール３２０とともにそのディスプレイハウジングに関して軸を回転させ、スクロールホイール３２０に加えられる側方への回転力によって軸３３０に対してそれを側方に回転させる。ボール接合部３３２は、このボール接合部３３２が軸とともに回転するように軸３３０に固定される。
【００４６】
さらに、傾斜可能なスクロールホイール装置３１８は、回転検出システム３３４、傾斜検出システム３３６及び交互傾斜バイアスシステム３３８を備えている。回転可能なスクロールホイール３２０の回転を検出する回転検出システム３３４は、ディスクエンコーダ３４０及び光学的な対の分離部材３４２及び３４４を備えている。ディスクエンコーダ３４０は、スクロールホイール軸３３０に固定的に取り付けられる。エンコーダホイールの外周は、角度を有するように間隔を置き、半径方向に伸びるブレード３４６のような間隔を置いた光ブロック部材を備えている。光学的な対の分離部材の一方は光源３４２であり、他方は光センサ３４４である。スクロールホイール３２０の回転は、軸３３０及びそれに取り付けられたディスクエンコーダ３４０を回転させる。間隔を置いた光ブロック部材３４６は、ブレードが光の通路を周期的に遮断するとき、光の通路を周期的にブロックし、光パルスを提供する。エンコーダホイールが回転するとき、光源３４２からの光は、（１）開口を通して交互に伝達されるか、（２）エンコーダホイールの材料によってブロックされる。開口を通して伝達された光のパルスは、光センサ３４４によって検出される。光センサ３４４は、光のパルスに応答して、ケーブル３６０を介して信号をスクロールホイール３２０の回転を示すホストコンピュータに伝達し、ディスプレイスクリーンに対して画像のスクロールを誘導する。さらに、検出されたパルスの周波数は、スクロールホイール３２０が回転している速度に対応する。したがって、スクロールホイール３２０が回転している速度は、画像がスクロールする速度に一般に対応する。
【００４７】
さらに図３Ｂに示すように、傾斜検出システム３３６は、スクロールホイール３２０が傾斜している時間を決定する少なくとも１つのセンサ３２１を備え、この傾斜は、典型的には接触面３２２の開口３５２を貫通するスクロールホイール３２０の部分に加えられる側方の力によって生じる。また、スクロールホイール装置３１８は、センサ３２１からの出力を解釈するためにコントローラ（図示せず）のような回路を備え、出力を電子信号へ変換し、信号をホストコンピュータに送る。コントローラは、これらの機能を実行することができる知られた部品又は部品の組み合わせである。１つの実施例において、コントローラは、スクロールホイール３２０が側方に移動しているときを示すホストコンピュータのための信号を発生するセンサ３２１に接続されたマイクロプロセッサを備えている。
【００４８】
傾斜検出システム３３６のための他の実施例は、図３Ｃに示す傾斜バイアスシステム３３８である。この傾斜バイアスシステム３３８は、接触面３２２の開口３５２と反対のスクロールホイール３２０の側にスクロールホイール３２０の下方側部分を受けるキャリッジ３５０を備えている。このキャリッジ３５０は、スクロールホイール３２０の底部の両側に対向する側壁３５４を備えている。この側壁３５４は、０．１ｍｍのような小さいギャップ３５６だけ分離している。スクロールホイール３２０が傾斜しているとき、それは少し移動し、スクロールホイール３２０が傾斜しているキャリッジ３５０の側の側壁３５４に係合する。この小さいギャップ３５６は、軸３３０に沿って回転しているとき、スクロールホイール３２０上でドラッグを生じることなく十分な傾斜応答性を可能にする。キャリッジ３５０は、スクロールホイール３２０の移動によって直線的にスライドすることによって移動する。キャリッジ３５０の移動が検出されたとき、適当な信号がマイクロプロセッサに送られ、表示されたドキュメントの側方のスクロールを生じる。キャリッジ３５０は、スライドポテンショメータ３５８に接続され、これは、ターンテーブル３２６に取り付けられる。スライドポテンショメータ３５８は、移動の量を検出し、それに対応する電気抵抗値を提供する。キャリッジ３５０は、スライドポテンショメータ３５８又は他のバイアス機構によって中央位置に向かって偏移され、スクロールホイール３２０をその中間位置に戻すようにする。
【００４９】
図３Ｃのスライディングキャリッジの場合、接触スイッチのような分離した接触センサ３６２は、スクロールホイール３２０及びキャリッジ３５０の両側に設けられている。接触センサ３６２は、スクロールホイール３２０が傾斜したときを示す所定の位置にスクロールホイール３２０が傾斜したときを検出する。図示しない本発明の他の構成において、キャリッジ３５０のスライド運動を介してスクロールホイール３２０の傾斜運動を傾斜するセンサは、キャリッジ３５０の側方の動きを決定するためのストレインゲージ、フォースプレート、圧力センサを備えている。
【００５０】
全体として、スクロールホイール装置の検出システムの各センサは、ディスプレイスクリーンに対する画像の位置を制御する電気信号を発生するためのマイクロプロセッサに接続される。発生した信号は、スクロールホイール３２０を回転及び／又は側方に傾斜させるための力に応答してＸ軸及び／又はＹ軸に沿って表示された画像のスクロールを制御する。信号は、加えられた力の方向、すなわち、左又は右及び力の大きさと一致する態様で画像をスクロールする。他の実施例は、ユーザがクリックするか、又は選択を示すことを示すスクロールホイール３２０に下方に加えられる力を検出するための力センサ（ｆｏｒｃｅ  ｓｅｎｓｏｒ）を含んでいてもよい。
【００５１】
図３Ｃに示すように、ターンテーブル３２６は、適当な態様でハウジング２２０内に回転可能に取り付けられる。例えば、ターンテーブル軸３６４は、回転軸を支持するための知られているスリーブ及び軸受け構成（図示せず）内に受けられ、回転軸は、ターンテーブル３２６の回転を可能にするためにハウジング２２０内の構造を支持するように取り付けられている。他の実施例において、ターンテーブル軸３６４は、追加のモータ３６５に接続され、このターンテーブル軸３６４は、ディスプレイの方向の変化に応答するか、又はディスプレイの向きを変えるための命令に応答してターンテーブル３２６を機械的に揺動させる。ケーブル３６０は、ターンテーブル３２６に取り付けられ、これは、傾斜及びスクロール情報、受動力及びスクロールホイール装置に取り付けられる光源３６６のための照射命令のような命令を受けるように適用にタブレットＰＣの部品と協働することをスクロールホイール装置に可能にする。図７に接続して後述するように、本発明は、方向入力装置を照射し、方向指示器（ｉｎｄｉｃａｔｏｒ）を提供し、制御場所及び／又はシステム状態情報を認識することを含んでいる。光源３６６は、本発明のこれらの態様と関連して使用されることができる。
【００５２】
ダイヤル３２４は、ユーザが所望なときにスクロールホイール装置３１８を回転させることを可能にするようにターンテーブル３２６に取り付けられることが示されている。ユーザは、タブレットＰＣ２０１のハウジング２２０の縁部領域でスロットを貫通するダイヤルの部分とスライド接触することによってダイヤル３２４を回転させることができる。スクロールホイール装置の回転は、２つの安定した位置の間にあり、これは、約９０°はなれた方向を有する。第１の位置から約１８０°の向きの第３の安定位置、第１の向きから約５度と８５度との間に配置された第４の向き、並びに追加の向きを示す位置のような他の向きが可能である。情報ディスプレイの向きを自動的に変化させるようにシステムに報告される端部位置の一方又は双方で電気接触が行われる。例えば、ダイヤル３２４上の電気接点３７２は、ハウジング２２０に取り付けられた電気接点３７４で回路を完成させることができる。これは、スクロールホイール装置が安定した位置の識別された１つの位置に向いていることを指示することができる。また、他の位置センサは、ハウジング２２０又はスクロールホイール装置に取り付けられた近接センサ（図示せず）又は磁気センサ（図示せず）のようなスクロールホイール装置の向きを監視するために使用され、スクロールホイール装置上で対応する装置の近接性を検出する。スクロールホイール装置は、安定した位置の対応する１つの位置に配置されているとき、ダイヤル３２４の上のくぼみに係合するハウジング２２０に取り付けられているデタント部材（ｄｅｔｅｎｔｅ）３７６を介して安定位置に保持されることもできる。安定位置に接近するとき、互いに係合する相互突出部分（図示せず）のような、予め設定された向き内でスクロールホイール装置３１８を偏倚（ｂｉａｓｉｎｇ）するか、及び／又は保持する他の機構も使用することができる。
【００５３】
図３Ｄ乃至図３Ｆに示すように、これら２つの位置の間でスクロールホイール装置３１８の回転は、ばねダンパ３８０のようなオーバーセンター力機構によって補助されることができ、そのためのコネクタ３６８が図３Ｃに示されている。図３Ｅに示すように、スクロールホイール装置３１８を約４５度回転させることによって、それを「オーバーセンター」させ、それ自身上で残りの４５度回転し続けられる。ばねダンパ３８０は、ダンパ３８４を有する圧縮ばね３８２を使用して安定位置のうち１つの安定位置に向かってスクロールホイール装置３１８を偏倚させる。ダンパ３８４は、圧縮ばね３８２の圧縮を緩衝することなく、圧縮ばね３８２の伸びを緩衝する非対称形のダンパである。このように、ダンパ３８４は、その回転の残りの部分の間、スクロールホイール装置３１８の回転を柔らかくし、その新しい位置に撥ねる（ｓｎａｐｐｉｎｇ）可能性を減少させることができる。ダンパ３８４は、ダイヤル３２４をユーザが回転することに対向しないように非対称形である。デタント部材３７６又は回転制限部のような安定位置にスクロールホイール装置３１８を保持するために保持機構を有するか、又は有しないばねダンパ３８０を使用することができる。このばねダンパ３８０は、これらの機構を使用することなく、保持機構及び／又は回転制限部分として作用するように適用されることができる。また、それは、その延長性上で設けられた制限部を介して回転制限部として作用することができる。また、それは、安定位置のうちの１つの位置にスクロールホイール装置３１８を偏倚させ、安定位置から不意に回転する可能性を減少させるのに十分な伸張力を提供することによって保持機構として作用することができる。
【００５４】
図５Ａ及び図５Ｂは、本発明に係る方向制御（入力）装置の実施例を示す図で、図５Ａは、デフォルト位置（ｄｅｆａｕｌｔ  ｐｏｓｉｔｉｏｎ）から離れた方向に移動するプラテンを示す本発明による指紋スキャナ入力装置の斜視図、図５Ｂは、図５Ａに示した指紋スキャナ入力装置を備えた方向入力装置の他の実施例を示す平面図である。
【００５５】
方向制御（入力）装置５１８は、摺動可能なプラテン５２０を有する指紋スキャナのような光学スキャナ５１８を含むことを除いて方向制御（入力）装置２１８及び３１８と同様である。摺動可能なプラテン５２０の下に光学スキャンヘッド（図示せず）があり、この光学スキャンヘッドは、一連のスキャンラインとしてプラテンウインドウ５２２の上部に配置されている人の指の生物測定学的な画像を捕捉する。コンピュータシステムは、方向入力を検出するためにプラテン５２０の移動を監視し、光スキャンヘッドは、ユーザの指の存在を検出することができる。このように、光スキャナ５１８は、タブレットＰＣ、パーソナルコンピュータ、ＰＤＡ又は複数のディスプレイの向きを有する他の装置とともに使用するようになっている。図５Ｂは、ターンテーブルの上にスクロールホイール装置３１８と同様にタブレットＰＣ２０１のハウジング２２０内に取り付けられる摺動可能な光学スキャナを示している。摺動可能な光スキャナ５１８は、摺動の向きをディスプレイの向きに対応させ、及び／又はディスプレイの向きを変化させることができるように回転させることができる。
【００５６】
図６Ａ及び図６Ｂは、本発明に係る方向入力装置の他の実施例を示す平面図である。方向入力装置の向きがディスプレイの向き、あるいは方向入力の向きを変化させるために変化しないことを除いて上述した方向入力装置２１８、３１８及び５１８と同様な方向制御（入力）装置６１８を示している。むしろ、方向指示器６２０は、ディスプレイの向きと対応する方向入力の向きとの間で動く。この方向指示器６２０の動きは、ディスプレイ方向をそれに対応して移動させるが、入力センサ６２２の向き自身は変化しない。これは、入力センサ６２２が複数の方向内で入力を受けるからである。しかしながら、方向指示器６２０は、この方向指示器６２０のほぼ直線方向に沿ってある方向に入力を提供し、ユーザの入力を制限するようにされている。
【００５７】
方向制御（入力）装置６１８は、タッチパッド及び／又はスイープパッド６２２を備え、これらの方向制御（入力）装置は、パッドの上のユーザの接触及び動きを検出するためにこの技術分野で知られている。パッド６２２は、複数の動きでの運動を検出することができので、その上で検出される入力の方向を変化させるために回転される必要はない。しかしながら、スクロール入力を受けるためにパッド上のユーザの入力を特定の方向に制限することが望ましい。例えば、スクロールホイール装置を設置するよりもスクロールの機能性を提供するために小さいタッチ又はスイープパッド６２２をハウジング２２０に設置することが容易で廉価である。このように、方向制御（入力）装置６１８は、実質的な方向入力のみがユーザにとって利用可能になるようにパッド６２２の部分をカバーする回転可能なカバー６２４を備えている。回転可能なカバー６２４は、方向入力の向きを示すための方向指示器６２０を選択的に示す。しかしながら、パッド６２２の露出した方向部分６２６は、単に方向入力のための向きを示す。回転可能なカバー６２４は、ユーザがカバー６２４を回転することができるようにするためにターンテーブル３２６と同様なターンテーブルに取り付けられることができる。カバー６２４の回転は、前述した実施例と同様な態様でディスプレイの向きを変化させる。他の実施例において、パッド６２２は、ターンテーブルに沿って回転するように可動に取り付けられることができる。
【００５８】
図７は、本発明に係る方向入力装置のさらに他の実施例を示す平面図である。上述した方向制御（入力）装置と同様の方向制御（入力）装置７１８を示している。しかしながら、方向制御（入力）装置７１８は、照射される方向指示器７２０を備え、これは、ディスプレイ及び方向制御の現在の向きを示すように照射される。さらに、方向制御（入力）装置７１８のカバー７２２は、ポリカーボネートのような光伝達材料からつくられ、これは、ランプ（たとえば、図３Ｃに示すランプ３６６）から光を通過させ、カバーを通して自由に拡散される。
【００５９】
カバー７２２、方向指示器７２０及び／又は他の目盛は、種々のシステム状態を認識するために照射される。例えば、カバー７２２は、システムが起動するとき、及び完全に作動するとき、グリーンランプのような第１のカラーランプによって照射される。低い電池条件のようなシステムがある条件を有するとき、第２のカラーランプ（例えば、赤）によって照射される。またランプは、あるユーザの動作に応答して照射する。例えば、カバーは、カバー近くの指又は親指を検出するとき、照射される。また、カバー及び／又は方向指示器は、エラー状態の間、点滅のような他の方法でシステム状態を示す。
【００６０】
本発明は、その図示した実施例に関して説明した。添付した特許請求の範囲及びその技術思想内の種々の他の実施例、変形例及び変更は、この開示をから当業者によって行われる。特に、パーソナルコンピュータ、モバイル装置、ＰＤＡｓ及びモバイル端子を含む広範なコンピュータ装置で実行される。さらに、本発明は、マウスで第１の向きから第２の向きに動くスクロールホイール入力を有するマウス、あるいは向きの間で動くインテグレートな方向制御（入力）装置を有するキーボードのようなコンピュータ装置に機能的に関連するスタンドアロン（ｓｔａｎｄ−ａｌｏｎｅ）方向制御とともに使用されることができる。
【図面の簡単な説明】
【００６１】
【図１】本発明の種々の態様を実行するために使用することができる通常の汎用デジタル計算環境の概略図である。
【図２Ａ】本発明に係る第１のディスプレイ方向を有するスタイラスベースコンピュータの平面図である。
【図２Ｂ】本発明に係る第２のディスプレイ方向を有する図２Ａに示したスタイラスベースコンピュータの平面図である。
【図３Ａ】図２Ａ及び図２Ｂに示したスタイラスベースコンピュータの方向入力装置の拡大図である。
【図３Ｂ】図３Ａに示した方向入力装置のスクロールホイール装置の概略斜視図である。
【図３Ｃ】図３Ａに示した方向入力装置の概略端面図である。
【図３Ｄ】本発明に係る第１の向きから第２の向きに方向入力装置の動きを示す図３Ａの方向入力装置の概略平面図である。
【図３Ｅ】本発明に係る第１の向きから第２の向きに方向入力装置の動きを示す図３Ａの方向入力装置の概略平面図である。
【図３Ｆ】本発明に係る第１の向きから第２の向きに方向入力装置の動きを示す図３Ａの方向入力装置の概略平面図である。
【図４】本発明に係る第１の向き（例えば、ポートレートモード）から第２の向き（例えば、ランドスケープモード）にタブレットＰＣのディスプレイ上で画像の方向を切り換えるための方法を説明するための図である。
【図５Ａ】デフォルト位置から離れた方向に移動するプラテンを示す本発明による指紋スキャナ入力装置の斜視図である。
【図５Ｂ】図５Ａに示した指紋スキャナ入力装置を備えた方向入力装置の他の実施例を示す平面図である。
【図６Ａ】本発明に係る方向入力装置の他の実施例を示す平面図である。
【図６Ｂ】本発明に係る方向入力装置の他の実施例を示す平面図である。
【図７】本発明に係る方向入力装置のさらに他の実施例を示す平面図である。
【符号の説明】
【００６２】
１００  パーソナルコンピュータ
１０１  キーボード
１０２  入力装置
１０６  シリアルポートインターフェース
１０７  モニタ
１０８  ビデオアダプタ
１０９  リモートコンピュータ
１１０  処理ユニット
１１１  メモリ
１１２  ローカルエリアネットワーク
１１３  ワイドエリアネットワーク
１１４  ネットワークインターフェース
１１５  モデム
１２０  システムメモリ
１３０  システムバス
１４０  読み取り専用メモリ（ＲＯＭ）
１５０  ランダムアクセスメモリ（ＲＡＭ）
１６０  基本入出力システム（ＢＩＯＳ）
１６２  取り外し可能な光ディスク
１６５  デジタイザ
１６６  スタイラス
１８０  磁気ディスクドライブ
１９０  磁気ディスク
１９１  光ディスクドライブ
１９２  ハードディスクインターフェース
１９３  磁気ディスクドライブインターフェース
１９４  光学ドライブインターフェース
１９５  オペレーティングシステム
１９６  アプリケーションプログラム
１９７  他のプログラムモジュール
１９８  プログラムデータ
２０１  タブレットＰＣ
２０２  デジタイジング表示画面（ディスプレイ）
２０４  スタイラス
２０５  領域
２０８  テキストドキュメント
２１０  垂直スクロールバー
２１２  水平スクロールバー
２１４  ヘッダメニュー
２１６  ツールバー
２１８，３１８  スクロールホイール装置（方向入力装置）
２２０  ハウジング
３２０  スクロールホイール
３２１  センサ
３２２  接触面
３２４  ダイヤル
３２６  ターンテーブル
３３０  軸
３３２  ハブ／ボール接合部
３３３，３３５  支持ブロック
３３４  回転検出システム
３３６  傾斜検出システム
３３８  交互傾斜バイアスシステム
３４０  ディスクエンコーダ
３４２，３４４  分離部材（３４２；光源、３４４；光センサ）
３４６  光ブロック部材（ブレード）
３５０  キャリッジ
３５２  開口
３５４  側壁
３５６  ギャップ
３５８  スライドポテンショメータ
３６０  ケーブル
３６２  接触センサ
３６４  ターンテーブル軸
３６５  モータ
３６６  光源
３６８  コネクタ
３７２，３７４  電気接点
３７６  デタント部材
３８０  ばねダンパ
３８２  圧縮ばね
３８４  ダンパ
５１８，６１８，７１８  方向制御（入力）装置
５１８  光学スキャナ
５２２  プラテンウインドウ
５２０  プラテン
６２０，７２０  方向指示器
６２２  入力センサ（タッチパッド及び/又はスイープパッド）
６２４  回転可能なカバー
６２６  方向部分
７２２  カバー
【図１】
2006164275.tif 000003
【図２Ａ】
2006164275.tif 000004
【図２Ｂ】
2006164275.tif 000005
【図３Ａ】
2006164275.tif 000006
【図３Ｂ】
2006164275.tif 000007
【図３Ｃ】
2006164275.tif 000008
【図３Ｄ】
2006164275.tif 000009
【図３Ｅ】
2006164275.tif 000010
【図３Ｆ】
2006164275.tif 000011
【図４】
2006164275.tif 000012
【図５Ａ】
2006164275.tif 000013
【図５Ｂ】
2006164275.tif 000014
【図６Ａ】
2006164275.tif 000015
【図６Ｂ】
2006164275.tif 000016
【図７】
2006164275.tif 000017
【外国語明細書】
2006164275000001.pdf